(57)【要約】【課題】ゴルフ練習場で回収されたゴルフボールが一時的に貯留されるとき、１個毎にして整列状態で順次に送り出しでき、搬送機器によって円滑に搬送できるようにする。【解決手段】回収したゴルフボールＢを貯留するボール貯留槽１１と、ゴルフボールＢをボール貯留槽１１内で周回状に整列移動させるように設けたボール送出路１２と、ボール送出路１２に接続連通させて配装したボール送出口１３と、ボール送出路１２内のゴルフボールＢをボール送出口１３がわに移動させる水流を噴出するボール送出用水流噴出管１５と、ボール送出口１３の近傍等で重なり状となるゴルフボールＢを崩す水流を噴出するボール崩し用水流噴出管１６とを備える。また、ボール送出口１３には、送り出したゴルフボールＢを囲繞する複数の棒状材からなる水分離シュート１４を接続連通し、水と分離したゴルフボールＢをバキューム式の搬送パイプ１７で吸引搬送させるようにする。【選択図】図１
2019000566.tif 000002
【特許請求の範囲】
【請求項１】
ゴルフ練習場内で回収し、纏めて貯留してある多数のゴルフボールを１個毎で送出する回収ゴルフボールの送出装置であって、回収された多数のゴルフボールが供給導入されるボール貯留槽と、供給導入されたゴルフボールをボール貯留槽内で周回状に整列移動させるようにボール貯留槽の底部周囲に設けられたボール送出路と、このボール送出路に接続連通させてボール貯留槽の底部に配装したボール送出口と、前記ボール送出路内のゴルフボールをボール送出口がわに移動させる水流を噴出するようボール貯留槽に配装したボール送出用水流噴出管と、ボール送出口の近傍で生じた重なり状のゴルフボールを崩す水流を噴出するようボール貯留槽に配装したボール崩し用水流噴出管とを備えて成ることを特徴とするゴルフ練習場における回収ゴルフボールの送出装置。
【請求項２】
ボール貯留槽は、ゴルフ練習場のグランドに設けられた傾斜した集球溝内の水流によって回収され、集められたゴルフボールを水と分離させてボール貯留槽に案内するようにしたボール案内通路によって集球溝に接続されている請求項１に記載のゴルフ練習場における回収ゴルフボールの送出装置。
【請求項３】
ボール送出路は、ボール貯留槽の底部にボール貯留槽自体の内方に向かって膨出状に設けられた膨出部の外周として、ゴルフボールの外径幅員に相当する幅員を有して平面で彎曲していることで形成されている請求項１または２に記載のゴルフ練習場における回収ゴルフボールの送出装置。
【請求項４】
ボール送出用水流噴出管は、ボール貯留槽の中心に対してボール送出口とは反対がわに設けられていて、その噴出水流は、彎曲しているボール送出路に沿ってボール送出口に到達するようにしてある請求項１乃至３のいずれかに記載のゴルフ練習場における回収ゴルフボールの送出装置。
【請求項５】
ボール崩し用水流噴出管は、ボール送出用水流噴出管による噴出水流の向きとは反対する逆方向となる水流を、ボール送出路内で整列されているゴルフボールの上方位に向けて噴出するようにしてある請求項１乃至４のいずれかに記載のゴルフ練習場における回収ゴルフボールの送出装置。
【請求項６】
ボール送出口には水分離シュートが接続されていて、この水分離シュートは、ゴルフボールを内部に挿通させるようにゴルフボールの周囲を囲繞してゴルフボールの外径縁に沿って配列される複数本の棒状材によって下方傾斜状に形成されている請求項１乃至５のいずれかに記載のゴルフ練習場における回収ゴルフボールの送出装置。
【発明の詳細な説明】
【技術分野】
【０００１】
本発明は、ゴルフ練習場において打球後で例えば水流を利用して移動送出されるように傾斜状に形成されている集球溝を経て回収されたゴルフボールを、纏まったいわゆる固まり状にすることなく集球後に１個毎で無理なく、例えばゴルフボールの洗浄装置に搬送できるようにしたゴルフ練習場における回収ゴルフボールの送出装置に関する。
【背景技術】
【０００２】
従来から、ゴルフ練習場において打球されたゴルフボールは、回収後に速やかに洗浄され、洗浄後は例えば打球席近傍に設置されているボール貸出機等に送出配球され、練習者に所定数で貸し出されるようになっている。また、練習場のグランド上から回収したゴルフボールを一旦は貯留し、更に洗浄装置に、あるいは貸出機等に搬送するために例えばこれらの間に配管した搬送パイプ等を利用する場合、搬送パイプによって搬送させるは、纏まって貯留されているゴルフボールを１個毎で連続的にでも搬送パイプに送り出す必要がある。
【０００３】
そのためのゴルフボールの回収、洗浄、貸出等の一連のシステムとして、例えば特許文献１に係るゴルフ練習場におけるゴルフボール送球・洗滌システムと、ゴルフボール輸送用ポンプ等が提案されている。この特許文献１システムでは、集球溝に集められたゴルフボールを水流の利用でピット装置に移動させ、このピット装置で水と共に集められたゴルフボールをゴルフボール輸送用ポンプによって水中から吸い込み吐出し、その後、水と分離したゴルフボールのみを洗滌、乾燥して戻り用配管を経て打席に供給するようにしている。
【０００４】
また、例えば特許文献２のゴルフ練習場におけるボール配球装置では風力によって１個毎にボールを送り出すようにし、特許文献３のボール出庫装置では送出用シュートに配したブラシによって１個毎に送り出すように規制し、特許文献４のゴルフ練習機に於けるボール詰まり防止装置ではボールを転動して送り出す平行レールをこの平行レール間に配したボール崩し突出片に対して上下動させることで順次に送り出せるようにし、特許文献５の回収ゴルフボールの選別装置ではボール送出口の上部にボール切り出し用ローラを駆動させることで重なりボールを阻止するようにしている。
【０００５】
また、水流利用で集められたゴルフボールは、水と共に一時的に貯留槽内で貯留された後に例えばコンベア装置によって水と分離されて洗浄装置等に送り出されるように構成される回収ゴルフボールの送出システムも提案されている。
【先行技術文献】
【特許文献】
【０００６】
【特許文献１】実開平６−３４７７８号公報
【特許文献２】特開２０１０−８８６７７号公報
【特許文献３】特開平７−１０８０７７号公報
【特許文献４】実公昭５３−２４３６７号公報
【特許文献５】特公平４−４１６３１号公報
【発明の概要】
【発明が解決しようとする課題】
【０００７】
上記の特許文献１のシステムによると、水流利用でピット装置に集められたゴルフボールをゴルフボール輸送ポンプで送り出すとき、水中で沈降されるゴルフボールが輸送ポンプにおける広域吸込口のインペラー羽根部によって順次に１個ずつ吸い込まれ、送り出されるとするも、ゴルフボールの沈降量、水流速度等の変動によって広域吸込口近傍でゴルフボールが団子状に固まってしまうことがある。
【０００８】
また、貯留しているホッパーその他からの１個毎にゴルフボールを送り出すとする特許文献２乃至特許文献５に示された構成のものは、いずれも確実にゴルフボールを１個毎に送出させるにはゴルフボールに接する部材等を微妙に調整する必要があり、その取扱いは面倒であった。
【０００９】
更に、コンベア装置によって水と分離させてゴルフボールを貯留槽内から取り出すように構成された送出システムでは、コンベア装置の駆動部分に水が付着すると、使用に伴い腐蝕され、錆が生じるから、定期的な保守、点検、修理更には交換が必要であった。
【００１０】
そこで本発明は叙上のような従来存した諸事情に鑑み創出されたもので、その目的はゴルフ練習場において、例えば水流利用の集球溝によって回収され、集められたゴルフボールが一時的に貯留された後、その貯留されたゴルフボールを１個毎にして整列状態で順次に確実に送り出しできるようにし、更には送出されたゴルフボールはバキュームによる吸引力で搬送することで水が起因となり得る搬送機器等に対する損傷、錆その他の発生をも防止できるようにしたゴルフ練習場における回収ゴルフボールの送出装置を提供することにある。
【課題を解決するための手段】
【００１１】
上述した課題を解決するため、本発明にあっては、ゴルフ練習場内で回収し、纏めて貯留してある多数のゴルフボールＢを１個毎で送出する回収ゴルフボールの送出装置であって、回収された多数のゴルフボールＢが供給導入されるボール貯留槽１１と、供給導入されたゴルフボールＢをボール貯留槽１１内で周回状に整列移動させるようにボール貯留槽１１の底部周囲に設けられたボール送出路１２と、このボール送出路１２に接続連通させてボール貯留槽１１の底部に配装したボール送出口１３と、前記ボール送出路１２内のゴルフボールＢをボール送出口１３がわに移動させる水流を噴出するようボール貯留槽１１に配装したボール送出用水流噴出管１５と、ボール送出口１３の近傍で生じた重なり状のゴルフボールＢを崩す水流を噴出するようボール貯留槽１１に配装したボール崩し用水流噴出管１６とを備えて成ることを特徴とする。
ボール貯留槽１１は、ゴルフ練習場のグランドに設けられた傾斜した集球溝１内の水流によって回収され、集められたゴルフボールＢを水と分離させてボール貯留槽１１に案内するようにしたボール案内通路３によって集球溝１に接続されて構成することができる。
ボール送出路１２は、ボール貯留槽１１の底部にボール貯留槽１１自体の内方に向かって膨出状に設けられた膨出部１１Ａの外周として、ゴルフボールＢの外径幅員に相当する幅員を有して平面で彎曲していることで構成することができる。
ボール送出用水流噴出管１５は、ボール貯留槽１１の中心に対してボール送出口１３とは反対がわに設けられていて、その噴出水流は、彎曲しているボール送出路１２に沿ってボール送出口１３に到達するようにして構成することができる。
ボール崩し用水流噴出管１６は、ボール送出用水流噴出管１５による噴出水流の向きとは反対する逆方向となる水流を、ボール送出路１２内で整列されているゴルフボールＢの上方位に向けて噴出するようにして構成することができる。
ボール送出口１３には水分離シュート１４が接続されていて、この水分離シュート１４は、ゴルフボールＢを内部に挿通させるようにゴルフボールＢの周囲を囲繞してゴルフボールＢの外径縁に沿って配列される複数本の棒状材によって下方傾斜状に形成されることで構成することができる。
【００１２】
以上のように構成された本発明に係るゴルフ練習場における回収ゴルフボールの送出装置にあって、ゴルフ練習場において打球された後に回収され、集められたゴルフボールＢがボール貯留槽１１に導入されると、ボール送出用水流噴出管１５からの水流がボール送出路１２内で整列されているゴルフボールＢを順次にボール送出口１３に移動させ、一方、ボール崩し用水流噴出管１６からの水流がボール送出口１３に一時的にでも固まり状に滞留することがあるゴルフボールＢを崩し、ボール送出口１３から順次に連続させてゴルフボールＢを円滑に送出させる。
平面で湾曲状となっているボール送出路１２は、このボール送出路１２内に噴出されるボール送出用水流噴出管１５からの噴出水流をボール送出口１３に至るように案内し、ボール送出路１２内で整列状態のゴルフボールＢをボール送出口１３まで移動させる。
ボール送出路１２の上方に向けて水流を噴出するボール崩し用水流噴出管１６は、ボール送出口１３の近傍で、例えば複数のゴルフボールＢが重なり、固まり状で溜まっていても、そのいわゆるボール溜まりを崩し、ボール送出路１２内で整列移動されるゴルフボールＢをボール送出口１３から順次に連続して送出させる。
ボール送出口１３に接続連通した水分離シュート１４は、ボール送出口１３から排出されるゴルフボールＢを通過させるとき、ゴルフボールＢに付着している水を滴下して分離し、またボール貯留槽１１からボール送出口１３を経て流下される水を排水させることで、ゴルフボールＢのみを所定箇所に送り出させる。
【発明の効果】
【００１３】
本発明は以上説明したように構成されているため、ゴルフ練習場内で打球されるゴルフボールＢを例えば集球溝１によって回収し、纏めてから例えば洗浄装置Ｃ、貸出機Ｌ等に搬送機器等で戻し、再使用させるようにするとき、回収後のゴルフボールＢを１個ずつで順次に連続的に送り出すことができる。しかも水流の利用で回収し、送り出すようにしても、搬送のための機器には駆動部分等がないことからも水による損傷、錆等が生じることはなく、その保守、点検も容易であり、既存のゴルフ練習場に設置するも過大な費用も掛からず、簡単に据付設置できる。
【００１４】
すなわちこれは、本発明において、ゴルフボールＢが供給導入されるボール貯留槽１１と、ゴルフボールＢをボール貯留槽１１内で周回状に整列移動させるように設けられたボール送出路１２と、このボール送出路１２に接続連通させて配装したボール送出口１３と、ボール送出路１２内のゴルフボールＢをボール送出口１３がわに移動させる水流を噴出するボール送出用水流噴出管１５と、重なり状のゴルフボールＢを崩す水流を噴出するボール崩し用水流噴出管１６とを備えて成るからである。これによって、回収・集められたゴルフボールＢの１個毎の送り出し、しかもその送り出しは移動のための水流とボール崩しのための逆方向の水流とによることで連続させた円滑な処理とし、送出のための搬送機器等が駆動部分を有しないことによる保守点検の容易性等を得ることができる。
【００１５】
また、ボール貯留槽１１には、集球溝１からボール案内通路３を経てゴルフボールＢが供給されるとき、集球溝１内で水流利用によってゴルフボールＢが移動されたとしても、ボール案内通路３は集球溝１内の水流による水を分離するから、回収移動のための水が排除されてゴルフボールＢのみがボール貯留槽１１内に導入案内される。
【００１６】
ボール送出路１２は、ボール貯留槽１１内で周回状に移動させるようにボール貯留槽１１の底部周囲に、ゴルフボールＢの外径幅員に相当する幅員で設けられていることで、ゴルフボールＢをボール送出路１２内で整列させて移動でき、ボール送出用水流噴出管１５の水流によって整列状態でボール送出口１３にゴルフボールＢを送り出すことができる。
【００１７】
ボール送出用水流噴出管１５からの水流と、ボール崩し用水流噴出管１６からの水流とは互いに逆向きであることで、ボール送出口１３近傍にゴルフボールＢが上下で重なり、固まり状となって、いわゆるボール溜まりが生じても、ボール崩し用水流噴出管１６の噴出水流がそのボール溜まりを崩し、ボール送出用水流噴出管１５からの水流がボール送出路１２内の整列状態のゴルフボールＢを移動させていることと相俟ち、１個毎でゴルフボールＢをボール送出口１３から順次に連続的に送り出すことができる。
【００１８】
ボール送出口１３に水分離シュート１４を接続連通してあって、この水分離シュート１４がゴルフボールＢの周囲を囲繞する複数の棒状材にて下方傾斜状に形成されていることで、水分離シュート１４内を通過するときにはゴルフボールＢに付着の水は滴下分離されると共に、ボール送出口１３からもボール貯留槽１１内の水流が排水されるから、送り出されるゴルフボールＢは水が付着されていない状態で送り出される。更にはバキューム作用による搬送パイプ１７の吸引搬送であることとしても、例えば洗浄装置Ｃ等に搬送するための搬送機器等が水等で損傷され、また錆びることもなく、それらの点検、保守が容易で、修理・交換等に伴う諸費用等を大きく節減できる。
【００１９】
尚、上記の課題を解決するための手段、発明の効果の項それぞれにおいて付記した符号は、図面中に記載した構成各部を示す部分との参照を容易にするために付した。本発明は、これらの記載、図面中の符号等によって示された構造・形状等に限定されない。
【図面の簡単な説明】
【００２０】
【図１】本発明を実施するための一形態を示す概要斜視図である。
【図２】同じく平面図である。
【図３】同じく正面図である。
【図４】同じく側面図である。
【図５】同じく本発明装置を設置したゴルフ練習場の一部省略の概要斜視図である。
【発明を実施するための形態】
【００２１】
以下、図面を参照して本発明を実施するための一形態を説明すると、図において示される符号１１は例えばほぼ円筒ドラム状に形成されているボール貯留槽である。このボール貯留槽１１は、ゴルフ練習場のグランドにおける所定の傾斜角度を有するボール転動傾斜面２の底部に設けられている集球用の断面Ｕ字形の集球溝１にて集球されるゴルフボールＢが、集球溝１内で生じさせている水流によって集められることで回収された後、貯留されるようにしてある。
【００２２】
集球溝１は、図５に示されるように、ゴルフ練習場のグランドの奥部に例えば練習場の打席側、奥部側それぞれに対して向かい合わせで傾斜したボール転動傾斜面２の底部に、例えば練習場のいずれか一方の側部から他方の側部に向けて傾斜させることで設けられている。そして、その上方位から下方位に向かうように水が供給されることで水流が生じており、ボール転動傾斜面２を転動して集球溝１内に落下し集められたゴルフボールＢは水流によって下方位に流されるようにしてある。
【００２３】
前記ボール貯留槽１１は、集球溝１内で流されることで集球溝１の下方位に運ばれたゴルフボールＢを貯留するように、集球溝１の下方位の前方、例えば練習場の側部近傍に配置されており、回収されたゴルフボールＢを一時的に貯留する。
【００２４】
下方位に位置する集球溝１の末端には、ボール貯留槽１１に回収したゴルフボールＢを案内させるボール案内通路３が設けられて、ボール貯留槽１１に接続されている。このボール案内通路３は、図例のように、集球溝１の末端に連続させて下方傾斜した水排除板４と、この水排除板４によって水とは分離されたゴルフボールＢをボール貯留槽１１に導入案内する導入案内部６とを備える。
【００２５】
水排除板４は、ゴルフボールＢの外径幅員に比しやや狭い間隔で、集球溝１から流下される水流方向に沿って並列してある複数の突条部５を有する所定幅員のプレート状に形成されている。突条部５上で転動するゴルフボールＢに付着した水は転動によって突条部５相互間に滴下し、必要あれば設けられる例えば水排除板４の下方に開口形成した排水口を経てそのまま排水循環されるようにしてある。
【００２６】
導入案内部６は、水排除板４の末端に連続形成され、例えば図示のように、水排除板４の側外方に隣接させてボール貯留槽１１を配装してある場合には、末部に至るに伴い次第に下方傾斜する所定幅員を有した平面でほぼＬ字形を呈していて、この導入案内部６の末部はボール貯留槽１１に接続連通している。なお、この導入案内部６、更に前記水排除板４等はプレート状とせずに、パンチングボード製としたり、スノコ製としたりすることもできる。
【００２７】
ボール貯留槽１１には、このボール貯留槽１１自体の内周に沿って周回状にゴルフボールＢを整列移動させるように、ボール貯留槽１１の底部に、ゴルフボールＢの外径幅員に相当する幅員を有して平面で彎曲しているボール送出路１２が形成されている。このボール送出路１２は、図示のように例えばボール貯留槽１１の底部にボール貯留槽１１自体の内方に向かい、ゴルフボールＢの外径に相当するよう対応した高さで膨出状に設けられた膨出部の外周として形成される。こうすることで前記導入案内部６から供給導入されたゴルフボールＢは膨出部上からボール送出路１２に落下され、ボール送出路１２内で転動するようになり、またこのボール貯留槽１１内でいわば撹拌されるようにはなっている。
【００２８】
ボール送出路１２には、ゴルフボールＢの外径に相当する内径を有するボール送出口１３がボール貯留槽１１の底部に接続連通されている。更にこのボール送出口１３には水分離シュート１４が接続されていて、ボール送出路１２内のゴルフボールＢをボール送出口１３、水分離シュート１４を経てボール貯留槽１１の外部に送り出すようになっている。
【００２９】
また、ボール送出路１２には、ボール送出路１２内のゴルフボールＢをボール送出口１３がわに強制的に移動させる水流を噴出形成するボール送出用水流噴出管１５がボール送出路１２内に向けて配設されている。このボール送出用水流噴出管１５は、例えばボール貯留槽１１の中心に対してボール送出口１３とは反対がわに設けられていて、このボール送出用水流噴出管１５から噴出される水流は、彎曲しているボール送出路１２に沿ってボール送出口１３に到達することでボール送出路１２内のゴルフボールＢをボール送出口１３に移動させるようにしている。
【００３０】
一方、ボール送出口１３の上方には、ボール送出用水流噴出管１５によって移動されるゴルフボールＢがボール送出口１３上で、またその近傍で複数のゴルフボールＢが例えば重なり、団子状になってボール溜まりとなるときの上位にあるゴルフボールＢを除去し、ボール送出路１２内のゴルフボールＢのみを１個毎に順次にボール送出口１３に挿入させるように、ゴルフボールＢを崩すための噴出水流を生じさせるボール崩し用水流噴出管１６が配設されている。このボール崩し用水流噴出管１６による水流は、ボール送出用水流噴出管１５による噴出水流の向きとは反対する逆方向となっていて、ボール送出路１２内で整列状態されて移動するゴルフボールＢに対しては直接に噴流作用せず、ボール送出路１２内のゴルフボールＢの上方位に向けられるようにしてある。
【００３１】
なお、これらのボール送出用水流噴出管１５、ボール崩し用水流噴出管１６等には水流ポンプＰから所定圧で送水される水が噴出されるもので、これらの噴出水流は前記水分離シュート１４から排水される水を循環使用するようにすることもできる。
【００３２】
また、水分離シュート１４は、例えば図示のように、ゴルフボールＢを内部に挿通させるようにゴルフボールＢの周囲を囲繞してゴルフボールＢの外径縁に沿って配列される例えば４本の棒状材によって下方傾斜状に形成されている。この水分離シュート１４は、ボール送出口１３から流下される水を排水させ、水分離シュート１４内をゴルフボールＢが通過するとき、ゴルフボールＢ自体に付着している水を除去させるようにもしている。この水分離シュート１４自体は、４本の棒状材によって形成される場合に限らず、例えば棒状材を増減したり、筒状ネット材としたり等とすることも可能である。
【００３３】
なお、この水分離シュート１４が例えば複数本の棒状材によって形成されるとき、ボール送出口１３に連結される前部の固定リングと、後部位置で固定する後部の固定リングと、これらの間で必要あれば配される適数の中継リングとによって、棒状材それぞれの前後及び中間等が位置決め固定されるように設けられている。
【００３４】
水分離シュート１４の後部には、ゴルフボールＢを所定箇所、例えば洗浄装置Ｃ等に送出させるバキューム用のサクションホースの如き搬送パイプ１７が接続されていて、図示を省略したバキュームブロワーの吸引作用によって水分離シュート１４を通過したゴルフボールＢが吸引されることで送出されるようになっている。
【００３５】
本発明に係るゴルフボールの送出装置は、図５に示すように、ゴルフ練習場のグランドに構成されたボール転動傾斜面２の底部で傾斜している集球溝１の下方位に配置される。そして搬送パイプ１７は例えば練習場の所定箇所に設けられた洗浄装置ＣにゴルフボールＢを搬送し、洗浄後のゴルフボールＢは適当な搬送機器等を経て打席近傍に配設されている貸出機Ｌに供給される。一方、集球溝１内でゴルフボールＢを移動させるために生じさせた水流は水排除板４によってゴルフボールＢとは分離されて再利用され、またボール貯留槽１１内に噴出供給されたゴルフボールＢの強制移動のための水流、及びボール送出路１２上で重なるゴルフボールＢを崩すための水流はボール送出口１３から排水されて再利用されるものとして循環使用される。
【００３６】
このようにして例えばゴルフ練習場に設置された本発明に係る送出装置において、ボール転動傾斜面２を経て集球溝１に集められたゴルフボールＢは、集球溝１内で生じさせられた水流と共にボール案内通路３を経ることで、集球・移動用の水と分離されてボール貯留槽１１内に案内導入される。ボール貯留槽１１内に導入案内されたゴルフボールＢは、ボール送出路１２内で、ボール送出用水流噴出管１５からの噴出水流によってボール送出口１３に強制的に移動される。ボール送出口１３の近傍等で複数のゴルフボールＢが団子状になっていると、ボール崩し用水流噴出管１６によってゴルフボールＢが崩され、ボール送出用水流噴出管１５からの強制的な噴出水流と相俟って、１個ずつでボール送出口１３から水分離シュート１４に排出される。この水分離シュート１４では、水分離シュート１４の通過中にゴルフボールＢに付着されていた水を除去排水し、バキューム作用を有する搬送パイプ１７によって例えば洗浄装置Ｃ等にゴルフボールＢを搬送する。
【符号の説明】
【００３７】
Ｂ…ゴルフボール                        Ｃ…洗浄装置
Ｌ…貸出機                              Ｐ…水流ポンプ
１…集球溝                              ２…ボール転動傾斜面
３…ボール案内通路                      ４…水排除板
５…突条部                              ６…導入案内部
１１…ボール貯留槽                      １１Ａ…膨出部
１２…ボール送出路                      １３…ボール送出口
１４…水分離シュート                    １５…ボール送出用水流噴出管
１６…ボール崩し用水流噴出管            １７…搬送パイプ
【図１】
2019000566.tif 000003
【図２】
2019000566.tif 000004
【図３】
2019000566.tif 000005
【図４】
2019000566.tif 000006
【図５】
2019000566.tif 000007
【手続補正書】
【提出日】平成29年12月26日(2017.12.26)
【手続補正１】
【補正対象書類名】特許請求の範囲
【補正対象項目名】全文
【補正方法】変更
【補正の内容】
【特許請求の範囲】
【請求項１】
ゴルフ練習場内で回収し、纏めて貯留してある多数のゴルフボールを１個毎で送出する回収ゴルフボールの送出装置であって、回収された多数のゴルフボールが供給導入されるボール貯留槽と、供給導入されたゴルフボールをボール貯留槽内で周回状に整列移動させるようにボール貯留槽の底部周囲に設けられたボール送出路と、このボール送出路に接続連通させてボール貯留槽の底部に配装したボール送出口と、前記ボール送出路内のゴルフボールをボール送出口がわに移動させる水流を噴出するようボール貯留槽に配装したボール送出用水流噴出管と、ボール送出口の近傍で生じた重なり状のゴルフボールを崩す水流を噴出するようボール貯留槽に配装したボール崩し用水流噴出管とを備えて成ることを特徴とするゴルフ練習場における回収ゴルフボールの送出装置。
【請求項２】
ボール貯留槽は、ゴルフ練習場のグランドに設けられた傾斜した集球溝内の水流によって回収され、集められたゴルフボールを水と分離させてボール貯留槽に案内するようにしたボール案内通路によって集球溝に接続されている請求項１に記載のゴルフ練習場における回収ゴルフボールの送出装置。
【請求項３】
ボール送出路は、ボール貯留槽の底部にボール貯留槽自体の内方に向かって膨出状に設けられた膨出部の外周として、ゴルフボールの外径幅員に相当する幅員を有して平面で彎曲していることで形成されている請求項１または２に記載のゴルフ練習場における回収ゴルフボールの送出装置。
【請求項４】
ボール送出用水流噴出管は、ボール貯留槽の中心に対してボール送出口とは反対がわに設けられていて、このボール送出用水流噴出管から噴出される噴出水流は、彎曲しているボール送出路に沿ってボール送出口に到達するようにしてある請求項１乃至３のいずれかに記載のゴルフ練習場における回収ゴルフボールの送出装置。
【請求項５】
ボール崩し用水流噴出管は、ボール送出用水流噴出管による噴出水流の向きとは反対する逆方向となる水流を、ボール送出路内で整列されているゴルフボールの上方位に向けて噴出するようにしてある請求項１乃至４のいずれかに記載のゴルフ練習場における回収ゴルフボールの送出装置。
【請求項６】
ボール送出口には水分離シュートが接続されていて、この水分離シュートは、ゴルフボールを内部に挿通させるようにゴルフボールの周囲を囲繞してゴルフボールの外径縁に沿って配列される複数本の棒状材によって下方傾斜状に形成されている請求項１乃至５のいずれかに記載のゴルフ練習場における回収ゴルフボールの送出装置。
【手続補正２】
【補正対象書類名】明細書
【補正対象項目名】００１１
【補正方法】変更
【補正の内容】
【００１１】
上述した課題を解決するため、本発明にあっては、ゴルフ練習場内で回収し、纏めて貯留してある多数のゴルフボールＢを１個毎で送出する回収ゴルフボールの送出装置であって、回収された多数のゴルフボールＢが供給導入されるボール貯留槽１１と、供給導入されたゴルフボールＢをボール貯留槽１１内で周回状に整列移動させるようにボール貯留槽１１の底部周囲に設けられたボール送出路１２と、このボール送出路１２に接続連通させてボール貯留槽１１の底部に配装したボール送出口１３と、前記ボール送出路１２内のゴルフボールＢをボール送出口１３がわに移動させる水流を噴出するようボール貯留槽１１に配装したボール送出用水流噴出管１５と、ボール送出口１３の近傍で生じた重なり状のゴルフボールＢを崩す水流を噴出するようボール貯留槽１１に配装したボール崩し用水流噴出管１６とを備えて成ることを特徴とする。
ボール貯留槽１１は、ゴルフ練習場のグランドに設けられた傾斜した集球溝１内の水流によって回収され、集められたゴルフボールＢを水と分離させてボール貯留槽１１に案内するようにしたボール案内通路３によって集球溝１に接続されて構成することができる。
ボール送出路１２は、ボール貯留槽１１の底部にボール貯留槽１１自体の内方に向かって膨出状に設けられた膨出部１１Ａの外周として、ゴルフボールＢの外径幅員に相当する幅員を有して平面で彎曲していることで構成することができる。
ボール送出用水流噴出管１５は、ボール貯留槽１１の中心に対してボール送出口１３とは反対がわに設けられていて、このボール送出用水流噴出管１５から噴出される噴出水流は、彎曲しているボール送出路１２に沿ってボール送出口１３に到達するようにして構成することができる。
ボール崩し用水流噴出管１６は、ボール送出用水流噴出管１５による噴出水流の向きとは反対する逆方向となる水流を、ボール送出路１２内で整列されているゴルフボールＢの上方位に向けて噴出するようにして構成することができる。
ボール送出口１３には水分離シュート１４が接続されていて、この水分離シュート１４は、ゴルフボールＢを内部に挿通させるようにゴルフボールＢの周囲を囲繞してゴルフボールＢの外径縁に沿って配列される複数本の棒状材によって下方傾斜状に形成されることで構成することができる。
【手続補正３】
【補正対象書類名】明細書
【補正対象項目名】００２９
【補正方法】変更
【補正の内容】
【００２９】
また、ボール送出路１２には、ボール送出路１２内のゴルフボールＢをボール送出口１３がわに強制的に移動させる水流を噴出形成するボール送出用水流噴出管１５がボール送出路１２内に向けて配設されている。このボール送出用水流噴出管１５は、例えばボール貯留槽１１の中心に対してボール送出口１３とは反対がわに設けられていて、このボール送出用水流噴出管１５から噴出される噴出水流は、彎曲しているボール送出路１２に沿ってボール送出口１３に到達することでボール送出路１２内のゴルフボールＢをボール送出口１３に移動させるようにしている。